(57)【要約】【課題】  本発明は、ディスク装置及び携帯型電子装置に関し、環境変化はそのまま受け入れて、環境変化に拘らず、ヘッド及びディスクのダメージを最小限に抑えることを可能とすることを目的とする。【解決手段】  ディスクを回転する回転手段と、ディスクに対してデータの書き込み及び／又は読み出しを行うヘッドと、ディスク装置の動作環境を検出して検出信号を出力する検出手段と、検出信号が予め設定された範囲外であると、回転手段を制御してディスクの回転数を定格回転数より変化させることで、ヘッドの該ディスクからの浮上量を一定値以上に制御する制御手段とを備えるように構成する。【選択図】  図２
2005222695.tif 000002
【特許請求の範囲】
【請求項１】
ディスクを回転する回転手段と、
該ディスクに対してデータの書き込み及び／又は読み出しを行うヘッドと、
ディスク装置の動作環境を検出して検出信号を出力する検出手段と、
該検出信号が予め設定された範囲外であると、該回転手段を制御して該ディスクの回転数を定格回転数より変化させることで、該ヘッドの該ディスクからの浮上量を一定値以上に制御する制御手段とを備えた、ディスク装置。
【請求項２】
ディスクを回転する回転手段と、
ディスク装置の動作環境を検出して環境状態を示す第１の検出信号を出力する検出手段と、
該第１の検出信号が予め設定された第１の範囲外であると、該ディスクの回転数を定格回転数より低下させるように該回転手段を制御する制御手段とを備えた、ディスク装置。
【請求項３】
前記ディスクに対してデータの書き込み及び／又は読み出しを行うヘッドと、
該ヘッドと該ディスクとの接触状態を検出して第２の検出信号を出力するセンサとを更に備え、
前記制御手段は、該ディスクの回転数を上昇又は低下させて該第２の検出信号が予め設定された第２の範囲内となるように前記回転手段を制御する、請求項１又は２記載のディスク装置。
【請求項４】
前記ディスクに対してデータの書き込み及び／又は読み出しを行うヘッドと、
該ヘッドを該ディスクの略径方向に移送する移送手段とを更に備え、
前記制御手段は、前記第１の検出信号が前記第１の範囲外であると、データの書き込み及び／又は読み出し時以外には該ヘッドが所定領域に退避するように該移送手段を制御する、請求項１又は２記載のディスク装置。
【請求項５】
前記所定領域は、前記ヘッドの前記ディスクからの浮上量が最大となる該ディスク上のトラック位置である、請求項４記載のディスク装置。
【請求項６】
前記ヘッドと前記ディスクとの接触状態を検出して第２の検出信号を出力するセンサと、
該第２の検出信号が予め設定された第２の範囲内となる領域を検出して前記所定領域を自動的に設定する手段とを更に備えた、請求項４又は５記載のディスク装置。
【請求項７】
前記ディスクの表面には保護膜及び／又は潤滑剤膜が設けられており、前記所定領域内では該保護膜及び該潤滑剤膜の少なくとも一方の膜厚が他の領域より大きい、請求項４〜６のうちいずれか１項記載のディスク装置。
【請求項８】
前記ディスクの表面は、前記所定領域内では他の領域より平滑化されている、請求項４〜６のうちいずれか１項記載のディスク装置。
【請求項９】
前記制御手段は、前記第１の検出信号が前記第１の範囲外であると前記ディスクの回転を停止し、データの書き込み及び／又は読み出し時にはディスクを定格回転数で回転させ、データの書き込み及び／又は読み出しの終了時には該ディスクの回転を停止させるように前記回転手段を制御する、請求項２記載のディスク装置。
【請求項１０】
少なくともディスクを内部に収納すると共に、外部と連通する呼吸口を有するディスクエンクロージャと、
ディスク装置の動作環境を検出して環境状態を示す検出信号を出力する検出手段と、
呼吸口を開閉する呼吸口開閉機構と、
該検出信号が予め設定された第１の範囲外であると、該呼吸口を塞ぐように該呼吸口開閉機構を制御する手段とを備えた、ディスク装置。
【請求項１１】
ディスクを回転する回転手段と、
前記検出信号が予め設定された第２の範囲外であると、該呼吸口を塞いだ状態で該ディスクの回転数を定格回転数より上昇、低下又は停止させるように該回転手段を制御する制御手段とを更に備えた、請求項１０記載のディスク装置。
【請求項１２】
前記ディスクに対してデータの書き込み及び／又は読み出しを行うヘッドと、
該ヘッドを該ディスクの略径方向に移送する移送手段と、
前記検出信号が予め設定された第２の範囲外であると、該呼吸口を塞いだ状態で該ヘッドが該ディスクの略径方向への移動を繰り返すヘッドシーク動作を行うように該移送手段を制御して、該ヘッドが該ディスク上の同じ半径位置に停滞することを防止する制御手段とを更に備えた、請求項１０記載のディスク装置。
【請求項１３】
前記ディスクに対してデータの書き込み及び／又は読み出しを行うヘッドと、
該ヘッドを該ディスクの略径方向に移送する移送手段と、
前記検出信号が予め設定された第２の範囲外であると、該呼吸口を塞いだ状態でデータの書き込み及び／又は読み出し時以外には該ヘッドが所定領域に退避するように該移送手段を制御する制御手段とを更に備えた、請求項１０記載のディスク装置。
【請求項１４】
前記検出手段は、気圧センサ、温度センサ、湿度センサ、ピエゾ素子、超音波センサ及び塵埃センサからなるグループから選択された少なくとも１つのセンサを有する、請求項１〜１３のうちいずれか１項記載のディスク装置。
【請求項１５】
請求項１〜１４のうちいずれか１項記載のディスク装置を備えた携帯型電子装置。
【発明の詳細な説明】
【技術分野】
【０００１】
本発明はディスク装置及び携帯型電子装置に係り、特に装置の動作（使用）環境の変化に対して良好な信頼性を保つ構成のディスク装置及び携帯型電子装置に関する。
【０００２】
近年、コンピュータシステム等における情報処理量の増大に伴い、磁気ディスク装置に書き込まれて読み出される情報量も増加し、磁気ディスク装置の大容量化が進んでいる。一方、ノート型パーソナルコンピュータのような携帯型電子装置で使用される磁気ディスク装置は、様々な環境下でも携帯型電子装置が容易に操作できるように、大容量化に加えて、小型化することも要求されてきた。
【背景技術】
【０００３】
磁気ディスク装置は、今迄は専用の計算機室内や事務机上等の、ある程度使用環境の制限された場所で使用されていた。しかし、最近では、パーソナルコンピュータ等の電子装置の小型化及び軽量化に伴い、磁気ディスク装置が様々な環境下で使用される機会が多くなってきた。
【０００４】
磁気ディスク装置の信頼性に影響を及ぼす環境要因としては、気圧、温度及び湿度等が挙げられる。例えば、気圧は、磁気ディスク装置が高地で使用されたり、飛行機内で使用された場合、通常の使用環境下の気圧から変化する。
【０００５】
磁気ディスク装置は、情報を格納する磁気ディスク、磁気ディスクに情報を書き込み読み出す磁気ヘッド、磁気ヘッドを磁気ディスク上の所望位置へ移送するための位置決め機構、磁気ディスクを回転させるモータ等からなる。上記の如き環境要因に変化があると、磁気ディスク装置内の磁気ヘッドの磁気ディスクからの浮上量が低下し、磁気ヘッドと磁気ディスクとの接触が生じる機会が増大する。磁気ヘッドと磁気ディスクとの接触が長時間繰り返されると、磁気ヘッド及び磁気ディスクに傷が付いてしまい、磁気ディスクに書き込まれた情報の破壊も発生する、所謂ヘッドクラッシュが生じてしまう。
【０００６】
磁気ディスク装置が使用される環境下の温度及び湿度は、操作する人間の活動環境の限界から、自ずと範囲が限定され、磁気ディスク装置が極端な温度及び湿度下で長時間使用されることは考えにくい。しかし、磁気ディスク装置が使用される環境下の気圧は、高地や飛行機内では約０．７〜０．８気圧の範囲内であり、磁気ディスク装置はこのような気圧の範囲内で定常的に使用される。気圧は、磁気ヘッドの磁気ディスクからの浮上量を大きく左右するので、温度及び湿度の変化に加え、特に気圧の変化に対する対策が望まれる。
【０００７】
従来、気圧の変化に対しては、種々の対策が提案されている。特許文献１では、圧力調整袋を設けて磁気ディスク装置内の気圧を調整する方法が提案されている。特許文献２では、空気流の質量制御装置を設けて、磁気ディスク装置内の圧力を制御して安定化する方法が提案されている。特許文献３では、伸縮する袋を利用して装置内の圧力を外気と平衡化する方法が提案されている。特許文献４では、磁気ディスク装置内の圧力を可変調整する空気ポンプを設け、磁気ディスクの回転・停止時の気圧を高くすることで、磁気ヘッドが磁気ディスク上を摺動する際の衝撃を軽減する方法が提案されており、特許文献５にも同様な方法が提案されている。特許文献６では、高圧気体を封入したボンベを設け、気圧の低い環境下での装置の使用を可能にする方法が提案されている。又、特許文献７では、ベローズ構造又は弾性体を利用して、装置内外部間の気圧差の発生を抑さえる方法が提案されている。
【０００８】
この様に、従来技術は、基本的には環境変化が発生すると環境を元に戻したり、環境変化の度合いを最小限にするために、磁気ディスク装置に対して気圧調整装置等の装置を別途設ける構成となっていた。
【特許文献１】特開昭５４−６１４号公報
【特許文献２】特開昭５５−４８８６６号公報
【特許文献３】特開昭５８−１６８３７号公報
【特許文献４】特開昭６３−１１７３７８号公報
【特許文献５】特開平２−２６０１８３号公報
【特許文献６】特開昭６３−１９５８９３号公報
【特許文献７】特開平５−７４１２９号公報
【発明の開示】
【発明が解決しようとする課題】
【０００９】
しかし、従来技術では、磁気ディスク装置に対して圧力調整装置等を別途設ける構成となっており、小型化及び軽量化が要求されている磁気ディスク装置にこのような装置を搭載することは、小型化及び軽量化の要求とは逆行してしまうという問題があった。
【００１０】
又、小型化及び軽量化の要求に加え、低消費電力化が要求されている携帯型電子装置に従来技術を適用した場合、圧力調整装置等の消費電力が比較的大きく、これも低消費電力化の要求とは逆行してしまうという問題があった。
【００１１】
そこで、本発明は、環境変化はそのまま受け入れて、環境変化に拘らず、ヘッド及びディスクのダメージを最小限に抑さえることを可能とするディスク装置及び携帯型電子装置を提供することを目的とする。
【課題を解決するための手段】
【００１２】
上記の課題は、請求項１記載の、ディスクを回転する回転手段と、該ディスクに対してデータの書き込み及び／又は読み出しを行うヘッドと、ディスク装置の動作環境を検出して検出信号を出力する検出手段と、該検出信号が予め設定された範囲外であると、該回転手段を制御して該ディスクの回転数を定格回転数より変化させることで、該ヘッドの該ディスクからの浮上量を一定値以上に制御する制御手段とを備えたディスク装置によって達成できる。
【００１３】
上記の課題は、請求項２記載の、ディスクを回転する回転手段と、ディスク装置の動作環境を検出して環境状態を示す第１の検出信号を出力する検出手段と、該第１の検出信号が予め設定された第１の範囲外であると、該ディスクの回転数を定格回転数より低下させるように該回転手段を制御する制御手段とを備えたディスク装置によっても達成できる。
【００１４】
請求項３記載の発明では、請求項１又は２において、前記ディスクに対してデータの書き込み及び／又は読み出しを行うヘッドと、該ヘッドと該ディスクとの接触状態を検出して第２の検出信号を出力するセンサとを更に備え、前記制御手段は、該ディスクの回転数を上昇又は低下させて該第２の検出信号が予め設定された第２の範囲内となるように前記回転手段を制御する。
【００１５】
上記の課題は、請求項４記載の、前記ディスクに対してデータの書き込み及び／又は読み出しを行うヘッドと、該ヘッドを該ディスクの略径方向に移送する移送手段とを更に備え、前記制御手段は、前記第１の検出信号が前記第１の範囲外であると、データの書き込み及び／又は読み出し時以外には該ヘッドが所定領域に退避するように該移送手段を制御するディスク装置によっても達成できる。
【００１６】
請求項５記載の発明では、請求項４において、前記所定領域は、前記ヘッドの前記ディスクからの浮上量が最大となる該ディスク上のトラック位置である。
【００１７】
請求項６記載の発明では、請求項４又は５において、前記ヘッドと前記ディスクとの接触状態を検出して第２の検出信号を出力するセンサと、該第２の検出信号が予め設定された第２の範囲内となる領域を検出して前記所定領域を自動的に設定する手段とを更に備える。
【００１８】
請求項７記載の発明では、請求項４〜６のいずれかにおいて、前記ディスクの表面には保護膜及び／又は潤滑剤膜が設けられており、前記所定領域内では該保護膜及び該潤滑剤膜の少なくとも一方の膜厚が他の領域より大きい。
【００１９】
請求項８記載の発明では、請求項４〜６のいずれかにおいて、前記ディスクの表面は、前記所定領域内では他の領域より平滑化されている。
【００２０】
請求項９記載の発明では、請求項２において、前記制御手段は、前記第１の検出信号が前記第１の範囲外であると前記ディスクの回転を停止し、データの書き込み及び／又は読み出し時にはディスクを定格回転数で回転させ、データの書き込み及び／又は読み出しの終了時には該ディスクの回転を停止させるように前記回転手段を制御する。
【００２１】
上記の課題は、請求項１０記載の、少なくともディスクを内部に収納すると共に、外部と連通する呼吸口を有するディスクエンクロージャと、ディスク装置の動作環境を検出して環境状態を示す検出信号を出力する検出手段と、呼吸口を開閉する呼吸口開閉機構と、該検出信号が予め設定された第１の範囲外であると、該呼吸口を塞ぐように該呼吸口開閉機構を制御する手段とを備えたディスク装置によっても達成できる。
【００２２】
請求項１１記載の発明では、請求項１０において、ディスクを回転する回転手段と、前記検出信号が予め設定された第２の範囲外であると、該呼吸口を塞いだ状態で該ディスクの回転数を定格回転数より上昇、低下又は停止させるように該回転手段を制御する制御手段とを更に備える。
【００２３】
請求項１２記載の発明では、請求項１０において、前記ディスクに対してデータの書き込み及び／又は読み出しを行うヘッドと、該ヘッドを該ディスクの略径方向に移送する移送手段と、前記検出信号が予め設定された第２の範囲外であると、該呼吸口を塞いだ状態で該ヘッドが該ディスクの略径方向への移動を繰り返すヘッドシーク動作を行うように該移送手段を制御して、該ヘッドが該ディスク上の同じ半径位置に停滞することを防止する制御手段とを更に備える。
【００２４】
請求項１３記載の発明では、請求項１０において、前記ディスクに対してデータの書き込み及び／又は読み出しを行うヘッドと、該ヘッドを該ディスクの略径方向に移送する移送手段と、前記検出信号が予め設定された第２の範囲外であると、該呼吸口を塞いだ状態でデータの書き込み及び／又は読み出し時以外には該ヘッドが所定領域に退避するように該移送手段を制御する制御手段とを更に備える。
【００２５】
請求項１４記載の発明では、請求項１〜１３のいずれかにおいて、前記検出手段は、気圧センサ、温度センサ、湿度センサ、ピエゾ素子、超音波センサ及び塵埃センサからなるグループから選択された少なくとも１つのセンサを有する。
【００２６】
上記の課題は、請求項１５記載の、請求項１〜１４のうちいずれか１項記載のディスク装置を備えた携帯型電子装置によっても達成できる。
【発明の効果】
【００２７】
請求項１記載の発明によれば、環境変化に拘らず、ヘッドのディスクからの浮上量を一定値以上に保つことができ、ヘッド及びディスクのダメージを最小限に抑さえることが可能となる。
【００２８】
請求項２及び３記載の発明によれば、環境変化によるヘッドとディスクとの接触頻度又は接触強度を低減することで、環境変化に拘らず、ヘッド及びディスクのダメージを最小限に抑さえることが可能となる。
【００２９】
請求項４〜８記載の発明によれば、ディスクの特定の領域が容易にダメージを受けないようにすることができる。
【００３０】
請求項９記載の発明によれば、消費電力を抑さえることができる。
【００３１】
請求項１０〜１３記載の発明によれば、周囲の気圧低下に対するディスク装置内の気圧維持を行い、環境変化によるヘッドとディスクとの接触頻度又は接触強度を低減することで、環境変化に拘らず、ヘッド及びディスクのダメージを最小限に抑さえることが可能となる。
【００３２】
請求項１４記載の発明によれば、あらゆる環境変化に対してもディスク装置の信頼性を保証することができる。
【００３３】
請求項１５記載の発明によれば、携帯型電子装置の信頼性を、環境変化に拘らず保証することができ、又、環境変化に対する対策により携帯型電子装置の大きさ、重量及び消費電力が増大することもない。
【００３４】
従って、本発明によれば、環境変化はそのまま受け入れて、環境変化によるヘッドとディスクとの接触頻度又は接触強度を低減することで、環境変化に拘らず、ヘッド及びディスクのダメージを最小限に抑さえることが可能となる。又、磁気抵抗効果型ヘッドを用いた装置において、ヘッドとディスクとの接触によるヘッドの特性変化等を防止することができる。以上からディスク及びヘッドの寿命、しいては装置の寿命を延ばすことが可能となる。
【発明を実施するための最良の形態】
【００３５】
本発明になるディスク装置及びディスク装置を有する携帯型電子装置では、環境変化はそのまま受け入れて、環境変化によるヘッドとディスクとの接触頻度又は接触強度を低減することで、環境変化に拘らず、ヘッド及びディスクのダメージを最小限に抑さえる構成となっている。このため、ヘッドとディスクとの接触頻度及び接触強度を低減するために、従来のように大型で重量が重く、消費電力の大きな特別な機構を別途設ける必要は基本的にはなく、本発明ではディスク装置を構成する部品の簡単な部分変更及びファームウェアの部分変更等で対処可能である。
【００３６】
具体的には、（ア）ディスクの回転数を上昇させる、（イ）ディスクの回転数を低下させる、（ウ）ヘッドにヘッドシーク動作をさせる、（エ）ヘッドのディスクからの浮上量が最大となる位置にヘッドを退避させる、（オ）ディスク上に耐接触性の高い領域又は接触頻度の少ない領域を設ける、（カ）ディスクの回転を停止する、（キ）ディスクエンクロージャの呼吸口を塞いで気圧の低下を抑制する等の機能／対策を設ける。
【００３７】
（ア）  ディスクの回転数を上昇させる機能を設けると、ヘッドのディスクからの浮上量が増加して、ヘッドとディスクとの接触頻度及び接触強度が減少する。
【００３８】
（イ）  ディスクの回転数を低下させる機能を設けると、ヘッドがディスクと接触する接触箇所は増加するが、接触時のダメージは低減され、ディスクが部分的に大きなダメージを受けることもない。
【００３９】
（ウ）  ヘッドにヘッドシーク動作をさせる機能を設けると、ヘッドがディスクと接触する部分が常に変化するので、ディスクが部分的に周方向上連続して大きなダメージを受けることもない。更に、これに加えてヘッドシーク時のディスクの回転数を変化させる機能を設ければ、ヘッドとディスクとの接触頻度を低減することもできる。
【００４０】
（エ）  ヘッドのディスクからの浮上量が最大となる位置にヘッドを退避させる機能を設けると、ヘッドとディスクとの接触頻度及び接触強度を低減することができる。
【００４１】
（オ）  ディスク上に耐接触性の高い領域又は接触頻度の少ない領域を設ける対策を取ると、ヘッド及びディスクに対するダメージを抑さえることができる。
【００４２】
（カ）  ディスクの回転を停止する機能を設けると、ヘッドとディスクとの接触によるダメージを抑制することができる。
【００４３】
（キ）  ディスクエンクロージャの呼吸口を塞いで気圧の低下を抑制する機能を設けると、気圧低下を抑制することで、ヘッドとディスクとの接触によるダメージを抑制することができる。
【００４４】
つまり、本発明によれば、ヘッドクラッシュの発生を効果的に防止することができる。
【実施例】
【００４５】
図１は、本発明になるディスク装置の第１実施例の機械的部分をカバーを取り外して示す斜視図である。ディスク装置の第１実施例は、本発明になる携帯型電子装置の第１実施例に適用される。
【００４６】
図１中、磁気ディスク装置は、大略カバー１ａ及びベース１ｂからなるディスクエンクロージャ１と、インタフェース１ｆと、ヘッド位置決め機構２と、ヘッドアーム３と、ヘッドアーム３と連結されたヘッドサスペンション４と、ヘッドサスペンション４を介してヘッドアーム３に支持された磁気ヘッド５と、スピンドル６に固定された磁気ディスク７と、センサ群９と、ヘッドＩＣ１１と、プリント基板１０１と、パッキン１０３と、乾燥剤１０４とからなる。スピンドル６は、同図では見えないが、スピンドルモータにより回転駆動される。本実施例では、センサ群９はプリント基板１０１上に設けられているが、ヘッドＩＣ１１上に設けられていても、磁気ディスク装置内の他の機構の動作に支障のない箇所に設けられていても良い。同図に示すように、磁気ディスク７が複数設けられる場合には、ヘッド位置決め機構２、ヘッドアーム３、ヘッドサスペンション４及び磁気ヘッド５も夫々複数設けられる。又、センサ群９は、後述するように、一又は複数のセンサからなる。このような構成の磁気ディスク装置を構成する各部は、センサ群９を除いて周知の部品を使用し得る。
【００４７】
図２は、携帯型電子装置の第１実施例の概略構成を示すブロック図であり、ディスク装置の第１実施例のより具体的構成を示す。同図中、図１と同一部分には同一符号を付し、その説明は省略する。携帯型電子装置の第１実施例では、本発明がノートパソコン等と呼ばれる携帯型パーソナルコンピュータに適用されている。
【００４８】
図２中、ディスク装置はディスクエンクロージャ１及び制御部２１からなる。ディスクエンクロージャ１内には、図１に示す各部に加えて、ヘッド集積回路（ＩＣ）１１、ボイスコイルモータ１２及びスピンドルモータ１３等が設けられている。又、制御部２１は、図２に示す如き接続のハードディスクコントローラ２２、リードチャネル２３、キャッシュメモリ２４、マイクロプロセッサユニット（ＭＰＵ）２５、サーボ制御部２６、クロック発生部２７及びセンサアンプ２８からなる。制御部２１の一部又は全部は、図１に示すプリント基板１０１上に設けられていても良い。
【００４９】
ホスト部３１は、携帯型電子装置全体の動作を制御するホスト装置３２等からなる。ホスト装置３１は、インタフェース２９を介して制御部２１のハードディスクコントローラ２２に接続されている。尚、図示は省略するが、ホスト装置３１には、キーボード等の入力装置と液晶表示装置等の表示装置とが接続されている。
【００５０】
磁気ディスク７へのデータ書き込み時には、制御部２１内のハードディスクコントローラ２２は、ホスト装置３２からライト命令及びライトデータをインタフェース２９を介して供給される。ライトデータは、一時的にバッファメモリとして使用されるキャッシュメモリ２４に格納される。ライト命令は、ハードディスクコントローラ２２を介してＭＰＵ２５に供給される。ＭＰＵ２５は、クロック発生部２７からのクロックに基づいて、ボイスコイルモータ１２及びスピンドルモータ１３をサーボ制御部２６を介して制御する。これにより、磁気ヘッド５はヘッドアーム３により磁気ディスク７上の所望のトラック位置まで移送され、磁気ディスク７はスピンドル６により定格回転数で回転される。ここで、定格回転数とは、予め決められた、約１気圧で室温等の通常使用条件下で、磁気ディスク装置が本来の性能を発揮できる磁気ディスクの回転数を言う。通常使用条件下では、磁気ディスク７に対するデータの書き込み及び読み出しは、通常はこの定格回転数で行われる。
【００５１】
他方、ライトデータは、キャッシュメモリ２４から読み出されて、ハードディスクコントローラ２２を介してリードチャネル２３に供給される。リードチャネル２３は、ＭＰＵ２５の制御下で、ライトデータを符号化してヘッドＩＣ１１に供給する。ヘッドＩＣ１１は、符号化されたライトデータを磁気ヘッド５により磁気ディスク７上に書き込む。
【００５２】
磁気ディスク７からのデータ読み出し時には、制御部２１内のハードディスクコントローラ２２は、ホスト装置３２からリード命令をインタフェース２９を介して供給される。リード命令は、ハードディスクコントローラ２２を介してＭＰＵ２５に供給される。ＭＰＵ２５は、クロック発生部２７からのクロックに基づいて、ボイスコイルモータ１２及びスピンドルモータ１３をサーボ制御部２６を介して制御する。これにより、磁気ヘッド５はヘッドアーム３により磁気ディスク７上の所望のトラック位置まで移送され、磁気ディスク７はスピンドル６により定格回転数で回転される。
【００５３】
他方、磁気ヘッド５により磁気ディスク７から読み出されたデータは、ヘッドＩＣ１１を介してリードチャネル２３に供給される。リードチャネル２３は、ＭＰＵ２５の制御下で、読み出されたデータを復号化してリードデータを生成する。リードデータは、ＭＰＵ２５の制御下でリードチャネル２３からハードディスクコントローラ２２に供給され、キャッシュメモリ２４に一時的に格納される。キャッシュメモリ２４から読み出されたリードデータは、ハードディスクコントローラ２２からインタフェース２９を介してホスト装置３２に供給される。
【００５４】
尚、スピンドルモータ１３は、定格回転数以上の回転数でも回転可能となる容量のものを用いている。
【００５５】
センサ群９は、磁気ディスク装置の環境を検出するための気圧センサ、温度センサ、湿度センサ、ピエゾ素子、超音波センサ及び塵埃センサからなるグループから選択された少なくとも１つのセンサを有する。センサ群９を構成する各センサが出力する検出信号は、センサアンプ２８により増幅されてＭＰＵ２５に供給される。ＭＰＵ２５は、センサ群９の各センサからセンサアンプ２８を介して得られる検出信号に基づいて、環境変化による磁気ヘッドと磁気ディスクとの接触頻度又は接触強度を低減するための対策を取る。この結果、環境変化に拘らず、磁気ヘッド５及び磁気ディスク７のダメージを最小限に抑さえられる。
【００５６】
尚、センサ群９が設けられるディスクエンクロージャ１内の位置は、図１に示す位置に限定されるものではない。又、センサ群９を構成する各センサは、１箇所にまとめて配置する必要はなく、ディスクエンクロージャ１内の異なる位置に配置しても良い。更に、言うまでもないが、センサ群９を構成する各センサは、磁気ディスク装置の各機構の動作に支障がなく、且つ、気圧等の検出するべき環境パラメータを検出するのに適した位置に設けられる。
【００５７】
次に、本実施例の動作を、図３と共に説明する。図３は、本実施例におけるＭＰＵ２５の動作を説明するフローチャートである。
【００５８】
図３において、ステップＳ１は、磁気ディスク装置の電源をオンとし、ステップＳ２は、磁気ディスク７を第１の回転数で定常回転するようにサーボ制御部２６を介してスピンドルモータ１３を制御する。データ書き込み／読み出し時における磁気ディスク７の第１の回転数は、例えば４５００ｒｐｍである。この第１の回転数は、本実施例では磁気ディスク７の定格回転数である。ステップＳ３は、センサ群９の気圧センサからの検出信号の示す気圧が、予め設定された設定気圧以下となったか否かを判定し、判定結果がＮＯであれば処理はステップＳ２へ戻る。本実施例では、この設定気圧は、０．８気圧である。他方、ステップＳ３の判定結果がＹＥＳであると、ステップＳ４は、磁気ディスク７が第１の回転数より高く定められた第２の回転数で定常回転するようにサーボ制御部２６を介してスピンドルモータ１３を制御する。本実施例では、この第２の回転数は５４００ｒｐｍである。
【００５９】
ステップＳ５は、センサ群９の気圧センサからの検出信号の示す気圧が、０．８気圧より高くなったか否かを判定し、判定結果がＮＯであれば処理はステップＳ４へ戻り、磁気ディスク７の回転数は第２の回転数に維持される。他方、ステップＳ５の判定結果がＹＥＳであると、ステップＳ６は、磁気ディスク７が第１の回転数に戻って定常回転するようにサーボ制御部２６を介してスピンドルモータ１３を制御する。
【００６０】
ステップＳ７は、ホスト装置３２からの磁気ディスク装置の運転終了命令に基づいて、磁気ディスク装置に対する電源をオフとして磁気ディスク装置を停止するか否か、即ち、磁気ディスク７の回転を停止するか否かを判定する。ステップＳ７の判定結果がＮＯであれば、処理はステップＳ２へ戻る。他方、ステップＳ７の判定結果がＹＥＳであると、ステップＳ８で磁気ディスク７の回転を停止するようにサーボ制御部２６を介してスピンドルモータ１３を制御し、処理が終了する。
【００６１】
尚、磁気ディスク７の回転数を検出する手段自体は周知であるので、その図示及び説明は省略するが、ＭＰＵ２５は、磁気ディスク７の回転数を検出する手段からの信号に基づいて、常に磁気ディスク７の回転数を知ることができる。例えば、磁気ディスク７の回転数は、磁気ディスク７から再生されたサーボ情報中のインデックスの間隔から求めることができる。
【００６２】
このように、本実施例では、気圧が設定気圧以下となると、磁気ディスク７の回転数を第１の回転数より上昇させる。これにより、磁気ヘッド５の磁気ディスク７からの浮上量が増加して、磁気ヘッド５と磁気ディスク７との接触頻度及び接触強度が減少する。
【００６３】
尚、第１実施例の変形例として、ステップＳ４は、ステップＳ３の判定結果がＹＥＳの場合に、磁気ディスク７が第１の回転数より低い第３の回転数で回転するようにサーボ制御部２６を介してスピンドルモータ１３を制御するようにしても良い。この場合の第３の回転数は、例えば３６００ｒｐｍである。
【００６４】
本変形例では、気圧が設定気圧以下となると、磁気ディスク７の回転数を第１の回転数より低下させる。これにより、磁気ヘッド５が磁気ディスク７と接触する接触面積は増加するものの、接触時のダメージは軽減されるので、磁気ディスク７が部分的に大きなダメージを受けることがない。
【００６５】
気圧が設定気圧以下となった場合に、第１実施例の如く磁気ディスク７の回転数を上昇させるか、変形例の如く低下させるかは、磁気ディスク装置の消費電力、スピンドルモータ１３の回転性能等に基づいて決定しても良い。
【００６６】
次に、本発明になるディスク装置の第２実施例を、図４と共に説明する。本実施例の基本構成は、図１及び図２に示す第１実施例の基本構成と基本的には同じであるので、構成については図１及び図２を参照して説明する。磁気ディスク装置の第２実施例は、本発明になる携帯型電子装置の第２実施例に適用される。
【００６７】
本実施例では、図１に示すヘッドアーム３に周知のピエゾ素子からなるタッチセンサ９ａが設けられている。タッチセンサ９ａは、磁気ヘッド５と磁気ディスク７との接触状態を検出して、接触状態を示す検出信号を出力する。タッチセンサ９ａの出力検出信号は、センサ群９を構成する各センサの出力検出信号と同様に、センサアンプ２８を介してＭＰＵ２５に供給されるので、ＭＰＵ２５は常に磁気ヘッド５と磁気ディスク７との接触状態を知ることができる。
【００６８】
図４は、本実施例におけるＭＰＵ２５の動作を説明するフローチャートである。同図中、図３と同一ステップには同一符号を付し、その説明は省略する。図４において、ステップＳ４ａは、磁気ディスク７が第１の回転数より高い回転数で回転するようにサーボ制御部２６を介してスピンドルモータ１３を制御する。このステップＳ４ａの後、ステップＳ１１は、タッチセンサ９ａの検出信号が磁気ヘッド５と磁気ディスク７とが接触していることを示すか否かを判定する。例えば、予め設定された設定値が、タッチセンサ９ａの出力検出信号のホワイトノイズ値の１５０％であるとすると、ステップＳ１１は、タッチセンサ９ａの検出信号がこの設定値以上であるか否かを判定する。
【００６９】
ステップＳ１１の判定結果がＹＥＳであると、処理はステップＳ４へ戻る。他方、ステップＳ１１の判定結果がＮＯであれば、ステップＳ１２は、磁気ディスク７の回転数の上昇が中止されて磁気ディスク７の回転数が例えばタッチセンサ９ａの検出信号がそのホワイトノイズの１５０％以下となった回転数を維持するように、サーボ制御部２６を介してスピンドルモータ１３を制御する。ステップ１２の後の処理は、上記第１実施例の場合と同じである。
【００７０】
本実施例では、タッチセンサ９ａの出力検出信号をＭＰＵ２５で監視することにより、磁気ヘッド５が磁気ディスク７と接触しないように磁気ディスク７の回転数を自動的に制御することができる。又、上記第１実施例の場合と同様の効果を得ることもできる。
【００７１】
尚、第２実施例の変形例として、ステップＳ４ａは、ステップＳ３の判定結果がＹＥＳの場合に、磁気ディスク７が第１の回転数より低い回転数で回転するようにサーボ制御部２６を介してスピンドルモータ１３を制御するようにしても良い。この場合も、上記第１実施例の変形例と同様の効果が得られる。
【００７２】
図５は、磁気ディスク７の回転数と、磁気ヘッド５の磁気ディスク７からの浮上量との関係を説明する図である。
【００７３】
磁気ヘッド５の磁気ディスク７からの浮上は、磁気ディスク７が回転する際に生じる磁気ヘッド５と磁気ディスク７との間の空気圧の揚力に依存する。図５中、１気圧の環境下で磁気ディスク７が定格回転数で回転している状態では、磁気ヘッド５は例えばＡ１に示す位置にあり、磁気ヘッド５は安定した状態で磁気ディスク７から浮上している。この状態で、環境が０．９気圧，０．８気圧，０．７気圧と変化すると、磁気ディスク７が定格回転数で回転していても、磁気ヘッド５の浮上量は低下し、磁気ヘッド５は例えばＡ２，Ａ３，Ａ４に示す位置をとる。磁気ヘッド５がＡ３，Ａ４に示すような位置まで下降してしまうと、磁気ヘッド５は次第に磁気ディスク７の表面に依存する凹凸の高い部分から順に接触してしまう。
【００７４】
しかし、上記第１及び第２実施例の如く、磁気ディスク７の回転数を第１の回転数、即ち、定格回転数より上昇させると、磁気ヘッド５と磁気ディスク７との間の部分的な気圧が上昇する。これにより、気圧が０．８気圧で磁気ヘッド５が例えば図５中Ａ３に示す位置にある状態で、磁気ディスク７の回転数を定格回転数より高い回転数へ上昇させると、磁気ディスク７の回転数の上昇により磁気ヘッド５は破線Ａ５で示す位置まで浮上する。従って、磁気ディスク装置が使用される環境の気圧が低下しても、磁気ヘッド５の磁気ディスク７からの浮上量が増加して、磁気ヘッド５と磁気ディスク７との接触頻度及び接触強度が減少する。  尚、図５中、破線Ａ１’は、１気圧の環境下で、且つ、磁気ヘッド５がＡ１の位置にある状態で、磁気ディスク７の回転数を定格回転数からこの定格回転数より高い回転数へ上昇させた場合に磁気ヘッド５が浮上する位置を示す。この破線Ａ１’で示す位置は、気圧が０．８気圧で、磁気ディスク７が定格回転数より高い回転数で回転しており、且つ、磁気ヘッド５が破線Ａ５に示す位置にある状態で、気圧が１気圧へ上昇した場合に磁気ヘッド５が浮上する位置でもある。
【００７５】
尚、磁気ヘッド５の磁気ディスク７からの浮上量ＦＨは、磁気ディスク７の実用範囲内の周速度ｖと略比例する関係にあり、ＦＨ＝ａｖ＋ｂ（ただし、ａ，ｂは定数）なる関係が成立する。
【００７６】
又、上記第１及び第２実施例の変形例の如く、磁気ディスク７の回転数を第１の回転数より低下させると、磁気ヘッド５と磁気ディスク７とは接触する。これにより、磁気ヘッド５が磁気ディスク７と接触する接触面積は増加するものの、接触時のダメージは軽減されるので、磁気ディスク７が部分的に大きなダメージを受けることがない。
【００７７】
次に、本発明になるディスク装置の第３実施例を、図６と共に説明する。本実施例の基本構成は、図１及び図２に示す第１実施例の基本構成と基本的には同じであるので、構成については図１及び図２を参照して説明する。ディスク装置の第３実施例は、本発明になる携帯型電子装置の第３実施例に適用される。
【００７８】
図６は、本実施例におけるＭＰＵ２５の動作を説明するフローチャートである。同図中、図３と同一ステップには同一符号を付し、その説明は省略する。図６において、ステップＳ４の後、ステップＳ２１は、サーボ制御部２６を介してボイスコイルモータ１２を回転制御することにより、ヘッドアーム３により磁気ヘッド５を磁気ディスク７上の第２の領域へ移動する。本実施例では、磁気ディスク７上には、磁気ディスク７が上記第１の回転数で定常回転している際にデータ書き込み／読み出しが通常の転送レートで行われる第１の領域と、磁気ディスク７が第１の回転数より速い第２の回転数で回転している際にデータ書き込み／読み出しが通常の転送レートと同じ転送レートで行われる第２の領域とが設けられている。従って、ステップＳ２１で磁気ヘッド５が第２の回転数で回転する磁気ディスク７上の第２の領域へ移動されることにより、通常の転送レートと同じ転送レートで、データ書き込み／読み出しが第２の領域に対して行われる。ステップＳ２１以降の処理は、上記第１実施例の場合と同じである。
【００７９】
本実施例では、磁気ヘッド５と磁気ディスク７との接触頻度及び接触強度を減少させると共に、気圧の低下により特に磁気ディスク７の全領域にわたってダメージが生じることを防止することができる。
【００８０】
尚、本実施例では、磁気ディスク７の回転数が第１及び第２の回転数の２種類設定される場合を例にとっているので磁気ディスク７には第１及び第２の領域、即ち、２種類の領域が設けられている。しかし、磁気ディスク７の回転数が３種類以上設定される場合には、同様にして磁気ディスク７に３種類以上の領域を設ければ良い。
【００８１】
又、磁気抵抗効果型ヘッドを用いた場合、信号再生中にヘッドがディスクと接触すると、サーマルアスペリティが発生し、再生信号にノイズが混入したり、接触により静電破壊が生じたりする不具合が発生し得る。しかし、本実施例によれば、このような不具合を解決し、ヘッドの寿命及びディスク装置自体の寿命を延ばすことができる。
【００８２】
尚、第３実施例の変形例として、ステップＳ４は、ステップＳ３の判定結果がＹＥＳの場合に、磁気ディスク７が第１の回転数より低い第２の回転数で回転するようにサーボ制御部２６を介してスピンドルモータ１３を制御するようにしても良い。この変形例の場合、上記第１実施例の変形例と同様の効果に加えて、第３実施例と同様の効果も得ることができる。
【００８３】
次に、本発明になるディスク装置の第４実施例を、図７と共に説明する。本実施例の基本構成は、図１及び図２に示す第１実施例の基本構成と基本的には同じであるので、構成については図１及び図２を参照して説明する。ディスク装置の第４実施例は、本発明になる携帯型電子装置の第４実施例に適用される。
【００８４】
図７は、本実施例におけるＭＰＵ２５の動作を説明するフローチャートである。同図中、図３と同一ステップには同一符号を付し、その説明は省略する。図７において、ステップＳ３の判定結果がＹＥＳであると、ステップＳ３１は、サーボ制御部２６を介してボイスコイルモータ１２を回転制御し、ヘッドアーム３により磁気ヘッド５を磁気ディスク７の略径方向へ移動することにより、ヘッドシーク動作を開始する。本実施例では、ヘッドシーク動作により、磁気ヘッド５は磁気ディスク７の最内周トラック位置から最外周トラック位置へ、又は、その逆方向へ、移動を繰り返す。このヘッドシーク動作により、磁気ヘッド５は、例えば５０ミリ秒毎に磁気ディスク７上の隣接トラックへ移動する。又、このヘッドシーク動作時には、磁気ディスク７の回転数が上記第１実施例又はその変形例の場合と同様に、第２の回転数まで上昇又は低下させている。
【００８５】
ステップＳ３２は、上位装置３２から書き込み／読み出し命令が発行されたか否かを判定する。ステップＳ３２の判定結果がＹＥＳとなると、ステップＳ３３は、磁気ヘッド５を磁気ディスク７上の目標トラック位置まで移動して、ヘッド位置決め動作を行い、データ書き込み／読み出しを行う。この場合、ヘッドシーク動作時に磁気ディスク７の回転数を上記第１実施例又はその変形例の場合と同様に第２の回転数まで上昇又は低下させているので、磁気ディスク７の回転数を第１の回転数まで戻してデータ書き込み／読み出しを行う。ステップＳ３４は、データ書き込み／読み出しが完了したか否かを判定し、ステップＳ３４の判定結果がＹＥＳであればステップＳ３５でヘッドシーク動作をステップＳ３１の場合と同様に行う。このヘッドシーク動作時にも、磁気ディスク７の回転数が上記第１実施例又はその変形例の場合と同様に、第２の回転数まで上昇又は低下させている。ステップＳ３５以降の処理は、上記第１実施例の場合と同じである。
【００８６】
尚、ヘッドシーク動作時の磁気ヘッド５の移動は、上記の如くゆっくりとした移動に限定されず、数トラック毎の移動でも、ランダムな移動でも良い。しかし、磁気ヘッド５の高速移動は、例えば磁気ディスク７の最内周トラック位置から最外周位置までの大きな移動範囲内では勿論のこと、隣接トラック位置への移動時にも避けることが望ましい。又、図７では、ステップＳ３１でヘッドシーク動作を開始すると、磁気ディスク７の回転数が第２の回転数に上昇又は低下させられるので、データ書き込み／読み出しを効率的に保障するために、後のステップＳ６で回転数を第１の回転数に戻したり、ヘッドシーク時に磁気ディスク７の回転数を変化させない場合には、ステップＳ６は省略したりすることもできる。又、磁気ディスク７の回転数を変化させても磁気ヘッド５の浮上量がデータ書き込み／読み出しを保障できる場合は、転送レート等の制御が必要かも知れないが、データ書き込み／読み出しの度に回転数を戻さなくても良い。
【００８７】
本実施例によれば、磁気ヘッド５が磁気ディスク７と接触する部分が常に変化するので、磁気ディスク７のある特定な部分が常に大きなダメージを受けることがない。更に、ヘッドシーク時の磁気ディスク７の回転数を第１の回転数より上昇させる場合には、磁気ヘッド５と磁気ディスク７との接触頻度を低減することもできる。
【００８８】
次に、本発明になるディスク装置の第５実施例を、図８と共に説明する。本実施例の基本構成は、図１及び図２に示す第１実施例の基本構成と基本的には同じであるので、構成については図１及び図２を参照して説明する。ディスク装置の第５実施例は、本発明になる携帯型電子装置の第５実施例に適用される。
【００８９】
図８は、本実施例におけるＭＰＵ２５の動作を説明するフローチャートである。同図中、図３と同一ステップには同一符号を付し、その説明は省略する。図８において、ステップＳ３の判定結果がＹＥＳであると、ステップＳ４１は、サーボ制御部２６を介してボイスコイルモータ１２を回転制御し、ヘッドアーム３により磁気ヘッド５を磁気ディスク７の略径方向へ移動することにより、磁気ヘッド６を磁気ディスク７上に設定した退避位置へ移動する。ここで、磁気ディスク７上の退避位置とは、（ａ）磁気ヘッド５の磁気ディスク７の径方向上の浮上プロフィールで最大浮上量が得られる位置、又は、（ｂ）保護膜及び／又は潤滑膜が厚く形成された磁気ディスク７上の領域内の位置、又は、（ｃ）表面の平滑性が向上された磁気ディスク７上の領域内の位置である。更に、（ｄ）上記第２実施例のように、タッチセンサ９ａの出力検出信号をＭＰＵ２５で監視し、磁気ヘッド５と磁気ディスク７との接触が検出されない磁気ディスク７上の領域を、退避位置を含む退避領域として自動的に設定することもできる。
【００９０】
尚、ステップＳ４１で磁気ディスク７の回転数を第２の回転数に上昇又は低下させても良い。この場合には、データ書き込み／読み出しを効率的に保障するために、ステップＳ４３でデータ書き込み／読み出しを行う際に磁気ディスク７の回転数を第１の回転数に戻したり、更に、ステップＳ４５では磁気ディスク７の回転数を第２の回転数に上昇又は低下させたりすることもできる。又、磁気ディスク７の回転数を変化させても磁気ヘッド５の浮上量がデータ書き込み／読み出しを保障できる場合は、転送レート等の制御が必要かも知れないが、データ書き込み／読み出しの度に回転数を戻さなくても良い。
【００９１】
図９は、本実施例における磁気ヘッド５の磁気ディスク７の径方向上の浮上プロフィールを示す図である。同図中、縦軸は磁気ヘッド５の磁気ディスク７からの浮上量（ｎｍ）を示し、横軸は磁気ディスク７の半径位置（ｍｍ）を示す。この場合、同図中のＲで示す退避ゾーンが、退避位置を含む退避領域に対応し、この退避領域での磁気ヘッド５と磁気ディスク７との接触頻度は非常に低減されている。
【００９２】
図１０は、退避位置を含む退避領域内において、保護膜及び／又は潤滑膜が厚く形成された磁気ディスク７を示す斜視図である。同図中、磁気ディスク７上の退避領域７Ａでは、保護膜及び／又は潤滑膜が、データ記録領域７Ｂより厚く形成されており、退避領域７Ａでの耐接触性が向上されている。例えば、データ記録領域７Ｂ内での潤滑膜の膜厚が１０Åであると、退避領域７Ａ内での潤滑膜の膜厚は２０Åである。又、退避領域７Ａ内での保護膜の膜厚は、例えばデータ記録領域７Ｂ内での保護膜の膜厚の１．５〜２．０倍である。
【００９３】
図１１は、磁気ディスク７の一部を示す断面図である。同図に示す磁気ディスク７は、基板７−１上に、下地膜７−２、記録膜７−３、保護膜７−４及び潤滑膜７−５が順に形成されている。この場合の特定領域７Ａ及び通常領域７Ｂでの保護膜７−４及び潤滑膜７−５の好ましい膜厚の一例は、表１に示す如くである。尚、これらの膜の膜厚は、使用する磁気ヘッド５等にも依存するので、表１の膜厚には限定されず、磁気ヘッド５等に応じて適宜最適な膜厚に設定すれば良い。
【００９４】
【表１】
2005222695.tif 000003
又、図１０に示す磁気ディスク７において、退避領域７Ａの表面の平滑性を、データ記録領域７Ｂの表面の平滑性より向上させても良い。この場合、退避領域７Ａでの耐接触性が向上される。磁気ディスク７の表面の平滑性を向上する手段としては、潤滑膜を設ける等の周知の手段を採用することができる。この場合、図９に示す磁気ヘッド５の磁気ディスク７の径方向上の浮上プロフィール中、退避領域７Ａに対応する退避ゾーンＲにおける最大浮上量Ｒｍａｘは、例えばデータ記録領域７Ｂの２／３〜１／２程度に設定すれば良い。
【００９５】
次に、本発明になるディスク装置の第６実施例を、図１２と共に説明する。本実施例の基本構成は、図１及び図２に示す第１実施例の基本構成と基本的には同じであるので、構成については図１及び図２を参照して説明する。ディスク装置の第６実施例は、本発明になる携帯型電子装置の第６実施例に適用される。
【００９６】
図１２は、本実施例におけるＭＰＵ２５の動作を説明するフローチャートである。同図中、図３と同一ステップには同一符号を付し、その説明は省略する。図１２において、ステップＳ３の判定結果がＹＥＳであると、ステップＳ５１は、サーボ制御部２６を介してスピンドルモータ１３を停止し、磁気ディスク７の回転を停止することにより、磁気ヘッド５と磁気ディスク７との接触によるダメージを防止する。
【００９７】
ステップＳ５２は、ホスト装置３２からデータ書き込み／読み出し命令が発行されているか否かを判定し、判定結果がＹＥＳとなると、ステップＳ５３は、磁気ディスク７に書き込むべきライトデータ又は磁気ディスク７から読み出されたリードデータを、一時的に図２に示すキャッシュメモリ２４に格納する。ステップＳ５４は、キャッシュメモリ２４がフル、即ち、残された記憶容量が所定量以下であるか否かを判定し、ステップＳ５４の判定結果がＹＥＳであると、ステップＳ５５でサーボ制御部２６を介してスピンドルモータ１３を回転制御し、磁気ディスク７を第１の回転数で回転すると共に、磁気ディスク７に対する書き込み／読み出し命令を発行してデータ書き込み／読み出しを磁気ディスク７に対して行う。例えば、キャッシュメモリ２４に書き込まれているライトデータが存在する場合には、このライトデータが磁気ディスク７に書き込まれる。
【００９８】
他方、ステップＳ５４の判定結果がＮＯであると、処理はステップＳ５６へ進む。この場合、ステップＳ５６は、キャッシュメモリ２４に対するデータ書き込み／読み出しが完了したか否かを判定し、ステップＳ５６の判定結果がＹＥＳとなると、磁気ディスク７が回転していれば、ステップＳ５７がステップＳ５１と同様にして磁気ディスク７の回転を停止し、処理はステップＳ５へ進む。ステップＳ５以降は、上記第１実施例と同様のステップＳ５及びＳ６の処理が行われる。又、ステップＳ５５においてデータ書き込み／読み出しを磁気ディスク７に対して行った場合には、ステップＳ５６は磁気ディスク７に対するデータ書き込み／読み出しが完了したか否かを判定し、ステップＳ５６の判定結果がＹＥＳとなると、ステップＳ５７がステップＳ５１と同様にして磁気ディスク７の回転を停止し、処理はステップＳ５へ進む。
【００９９】
本実施例によれば、気圧が低下すると磁気ディスク７の回転を停止するので、磁気ヘッド５と磁気ディスク７との接触によるダメージを防止することができる。又、ライトデータ及びリードデータは、一時的にキャッシュメモリ２４に格納されるので、データの信頼性も保証することができる。
【０１００】
次に、本発明になるディスク装置の第７実施例を、図１３〜図１５と共に説明する。ディスク装置の第７実施例は、本発明になる携帯型電子装置の第７実施例に適用される。
【０１０１】
図１３は、携帯型電子装置の第７実施例の概略構成を示すブロック図であり、ディスク装置の第７実施例のより具体的構成を示す。同図中、図２と同一部分には同一符号を付し、その説明は省略する。携帯型電子装置の第７実施例では、本発明がノートパソコン等と呼ばれる携帯型パーソナルコンピュータに適用されている。
【０１０２】
図１３に示すように、本実施例では、コイルアンプ４１と、電磁コイル４２と、呼吸孔カバー４３とが更に設けられている。ＭＰＵ２５は、環境変化、即ち、センサ群９の各センサの出力検出信号に基づいて、呼吸孔カバー４３の開閉を制御する制御信号をコイルアンプ４１を介して電磁コイル４２に供給する。電磁コイル４２は、制御信号に応答して、呼吸孔カバー４３を開けたり閉めたりする。  図１４は、本実施例におけるディスクエンクロージャ１の呼吸孔４５付近の構造を示す断面図である。同図中、（ａ）は呼吸孔４５が開いている状態を示し、（ｂ）は呼吸孔４５が閉まっている状態を示す。例えば金属製の呼吸孔カバー４３には、ゴムパッキン４３ａが設けられており、電磁コイル４２が励起されると、電磁コイル４２が発生する磁力により呼吸口カバー４３が吸い寄せられ、呼吸孔４５がこのゴムパッキン４３ａにより完全に塞がれる。
【０１０３】
尚、図１４に示す構造は、例えば図１中、Ｐで示す位置に設けられる。しかし、図１４に示す構造が設けられる位置は、Ｐで示す位置に限定されるものではなく、カバー１ａ等の磁気ディスク装置内の他の機構の動作に支障のない位置であればどこでも良い。又、ディスクエンクロージャ１は、気密性の高い周知の構造を有することも、言うまでもない。
【０１０４】
又、呼吸口カバー４３は金属製である必要はなく、電磁コイル４２が励起された際に呼吸口カバー４３が吸い寄せられような位置に金属等からなる部材を接着しても良い。
【０１０５】
図１５は、本実施例におけるＭＰＵ２５の動作を説明するフローチャートである。同図中、図３と同一ステップには同一符号を付し、その説明は省略する。図１５において、ステップＳ３ａは、センサ群９の気圧センサからの検出信号の示す気圧が、予め設定した第１の気圧以下となったか否かを判定する。第１の気圧は、例えば０．９５気圧である。ステップＳ３ａの判定結果がＹＥＳであると、ステップＳ６１は、コイルアンプ４１を介して電磁コイル４２を励起する制御信号を供給し、呼吸孔カバー４３を閉じて呼吸孔４５を塞ぐことにより、ディスクエンクロージャ１内の気圧がそれ以上低下しないようにする。又、ステップＳ６２は、センサ群９の気圧センサからの検出信号の示す気圧が、予め設定した、上記第１の気圧より低い、第２の気圧以下となったか否かを判定する。第２の気圧は、例えば０．９０気圧である。ステップＳ６２の判定結果がＹＥＳとなると、ステップＳ６３は、上記第１〜第６実施例のうちいずれかの処理を行って、磁気ヘッド５及び磁気ディスク７の接触によるダメージを抑さえる。
【０１０６】
ステップＳ６４は、センサ群９の気圧センサからの検出信号の示す気圧が、上記第２の気圧より高くなったか否かを判定する。ステップＳ６４の判定結果がＹＥＳとなると、ステップＳ６５は、磁気ディスク装置の動作を磁気ディスク７が第１の回転数で定常回転する通常動作に戻す。例えば、ステップＳ６３で磁気ディスク７が第１の回転数より高い回転数で回転された場合には、ステップＳ６５により磁気ディスク７の回転数が第１の回転数に戻される。又、ステップＳ６６は、センサ群９の気圧センサからの検出信号の示す気圧が、上記第１の気圧より高くなったか否かを判定する。ステップＳ６６の判定結果がＹＥＳとなると、ステップＳ６７は、コイルアンプ４１を介して電磁コイル４２をオフとする制御信号を供給し、呼吸孔カバー４３を開けて呼吸孔４５を開放する。ステップＳ６８は、ホスト装置３２からの命令に基づいて、磁気ディスク装置の動作が終了したか否かを判定し、判定結果がＮＯであれば処理はステップＳ３ａに戻り、ＹＥＳであれば磁気ディスク装置の電源がオフとされて処理は終了する。
【０１０７】
本実施例によれば、ディスクエンクロージャ１内の気圧の低下を抑制することで、磁気ヘッド５と磁気ディスク７との接触によるダメージを抑さえることができる。
【０１０８】
図１６は、本発明になる携帯型電子装置の外観の一実施例を示す斜視図である。図１６では、本発明が携帯型パーソナルコンピュータ（所謂ノート型パソコン又はラップトップコンピュータ）に適用されている。
【０１０９】
図１６中、携帯型パーソナルコンピュータは、本体５００と、大略開閉可能なカバー５０１に設けられた表示装置５０２と、キーワード５０３とからなる。又、本体５００内には、図１に示す如きディスク装置１が装着され、インターフェース１ｆを介して本体５００と実質的に接続される。
【０１１０】
尚、上記各実施例及び変形例は、必要に応じて適宜組み合わせが可能であることは、言うまでもない。
【０１１１】
又、上記各実施例では、環境パラメータとして、主に気圧を検出する場合について説明したが、温度や湿度といった他の環境パラメータについても同様の対策を取り得、又、複数の環境パラメータを検出して、その組み合わせに対する対策を取るようにしても良い。
【０１１２】
以上、本発明を実施例により説明したが、本発明は上記実施例に限定されるものではなく、本発明の範囲内で種々の変形及び改良が可能であることは言うまでもない。
【図面の簡単な説明】
【０１１３】
【図１】本発明になるディスク装置の第１実施例の機械的部分をカバーを取り外して示す斜視図である。
【図２】ディスク装置の第１実施例のより具体的構成を示すブロック図である。
【図３】第１実施例の動作を説明するフローチャートである。
【図４】第２実施例の動作を説明するフローチャートである。
【図５】磁気ディスクの回転数と、磁気ヘッドの磁気ディスクからの浮上量との関係を説明する図である。
【図６】第３実施例の動作を説明するフローチャートである。
【図７】第４実施例の動作を説明するフローチャートである。
【図８】第５実施例の動作を説明するフローチャートである。
【図９】第５実施例における磁気ヘッドの磁気ディスクの径方向上の浮上プロフィールを示す図である。
【図１０】退避位置を含む退避領域内において、保護膜及び／又は潤滑膜が厚く形成された磁気ディスクを示す斜視図である。
【図１１】磁気ディスクの一部を示す断面図である。
【図１２】第６実施例の動作を説明するフローチャートである。
【図１３】ディスク装置の第６実施例のより構成を示すブロック図である。
【図１４】ディスクエンクロージャの呼吸孔付近の構造を示す断面図である。
【図１５】第７実施例の動作を説明するフローチャートである。
【図１６】本発明になる携帯型電子装置の外観の一実施例を示す斜視図である。
【符号の説明】
【０１１４】
１      ディスクエンクロージャ
２      ヘッド位置決め機構
３      ヘッドアーム
４      ヘッドサスペンション
５      磁気ヘッド
６      スピンドル
７      磁気ディスク
９      センサ群
１１      ヘッドＩＣ
１２      ボイスコイルモータ
１３      スピンドルモータ
２１      制御部
２２      ハードディスクコントローラ
２３      リードチャネル
２４      キャッシュメモリ
２５      ＭＰＵ
２６      サーボ制御部
２７      クロック発生部
２８      センサアンプ
３１      ホスト部
３２      ホスト装置
４１      コイルアンプ
４２      電磁コイル
４３      呼吸孔カバー
【図１】
2005222695.tif 000004
【図２】
2005222695.tif 000005
【図３】
2005222695.tif 000006
【図４】
2005222695.tif 000007
【図５】
2005222695.tif 000008
【図６】
2005222695.tif 000009
【図７】
2005222695.tif 000010
【図８】
2005222695.tif 000011
【図９】
2005222695.tif 000012
【図１０】
2005222695.tif 000013
【図１１】
2005222695.tif 000014
【図１２】
2005222695.tif 000015
【図１３】
2005222695.tif 000016
【図１４】
2005222695.tif 000017
【図１５】
2005222695.tif 000018
【図１６】
2005222695.tif 000019